(57)【要約】【課題】  移動機で視聴した番組と同じ番組もしくは類似するタイトルの番組を、データ通信ネットワークで接続された録画機で録画する自動録画システムを提供する。【解決手段】  移動機１でＴＶ番組の視聴を行うと、移動機１で視聴している番組の番組情報と地域設定情報を録画機２に送信する（Ｓ１５３）。録画機２は、移動機１の地域設定情報、番組タイトルや番組サブタイトルから移動機１で視聴中の番組と同じ番組もしくは類似番組を検索し、自動的に録画を開始する（Ｓ２０２，Ｓ２０３，Ｓ２０４）。【選択図】  図５
2008288725.tif 000002
【特許請求の範囲】
【請求項１】
放送番組を受信して出力する移動機と、放送番組を受信して記憶する記憶装置とがデータ通信ネットワークによって接続された放送番組記憶システムであって、
前記移動機は、前記放送番組を受信する機能が起動されたとき、又は受信チャネルの設定が変更されたときに、前記移動機の地域設定情報と前記放送番組の少なくとも番組タイトル、番組放送局、放送開始時刻の情報を含む番組情報とを前記データ通信ネットワークを介して前記記憶装置に送信する手段を有し、
前記記憶装置は、前記移動機から受信した前記地域設定情報と前記記憶装置自身が記憶する地域設定情報とが同じ地域を示すことを検出した場合は、前記移動機の前記受信チャネルと同じチャネルから放送番組を受信して記録する手段を有することを特徴とする放送番組記憶システム。
【請求項２】
前記記憶装置は、録画可能な放送番組の少なくとも番組タイトル、放送開始時刻を含む放送番組リストを取得する手段と、
前記移動機から受信した前記地域設定情報と前記記憶装置自身が記憶する地域設定情報が示す地域が異なることを検出した場合には、前記放送番組リストから、前記移動機から受信した前記番組情報に含まれる前記番組タイトルが一致する放送番組を検索し、検索された放送番組を受信して記録する手段を更に有することを特徴とする請求項１に記載の放送番組記憶システム。
【請求項３】
前記記憶装置は、記憶を開始した放送番組の放送終了時刻まで放送番組の記録を継続することを特徴とする請求項１または請求項２に記載の放送番組記憶システム。
【請求項４】
放送番組受信中に受信周波数の変更操作によって前記移動機が受信する放送番組が変更されたとき、前記移動機から前記記憶装置に対して変更後の放送番組の番組情報と地域設定情報を送信し、
前記記憶装置は、記憶装置自身が記憶する前記放送番組リストから、前記移動機から受信した前記番組情報に含まれる前記番組タイトルと一致する番組タイトルを有する放送番組を抽出した場合、放送番組の記録を実行していれば終了して、前記放送番組リスト抽出された前記放送番組の記録を開始することを特徴とする請求項３に記載の放送番組記憶システム。
【請求項５】
前記移動機は、前記放送番組の受信を中断させるイベントの発生を検出したとき、前記イベントの発生時刻と発生要因をイベント情報として記憶して、表示要求に応じて単数または複数の前記イベント情報を表示画面に一覧表示する手段と、
前記表示画面に一覧表示された前記イベント情報の１つを選択し、その選択された前記イベント情報のイベント発生時刻を起点として記憶データを再生するように前記記憶装置に命令を送信する手段を更に有することを特徴とする請求項１乃至請求項４のいずれか１項に記載の放送番組記憶システム。
【請求項６】
放送番組を受信する放送受信手段と、
前記放送受信手段によって受信した放送番組を記憶する記憶手段と、
放送番組を受信して出力可能な移動機とデータ通信ネットワークによって通信を行う通信手段と、
前記通信手段によって前記移動機の地域設定情報および前記移動機で受信中の放送番組の少なくとも番組タイトルと番組放送局情報とを含む番組情報を取得し、自機の地域設定情報と前記移動機の地域設定情報が同じであることを検出した場合は、前記移動機から取得した前記番組放送局の放送番組の記録を開始し、前記移動機から取得した地域設定情報が自機の地域設定情報と異なることを検出した場合は、自機で記憶可能な放送番組の番組タイトルと一致する番組タイトルを持つ番組を検出し、前記番組タイトルが一致する番組の前記記憶手段への記録を開始させる制御手段とを有することを特徴とする記憶装置。
【請求項７】
前記制御手段は、前記移動機に対して移動機で受信している放送番組と同じ放送番組又は類似する放送番組を記憶することを示すステータス情報を送信することを特徴とする請求項６に記載の記憶装置。
【発明の詳細な説明】
【技術分野】
【０００１】
本発明は記憶装置と、この記憶装置と離れた位置にある移動機とをネットワーク接続した放送番組記憶システムに関する。
【背景技術】
【０００２】
移動機向けの地上デジタル放送開始に伴い、移動機を用いてＴＶ番組などの放送を視聴する機会が増えている。しかし、移動機を用いた放送番組の視聴では、電波の途切れ、移動機の電池電圧の低下、および移動機で使用している別の機能の割り込みなどによって、視聴が途切れることが発生する虞がある。その結果、重要なシーンの視聴が妨げられることが考えられる。
【０００３】
このように、移動機を用いた放送番組の視聴が中断させられることによって重要なシーンの視聴が妨げられることへの対策として、ユーザが視聴している番組を、移動機以外の記憶装置で記憶しておき、視聴が妨げられたシーンを後ほど視聴するシステムが提案されている（例えば、特許文献１参照。）。
【特許文献１】特開２００６−５７７０号公報
【発明の開示】
【発明が解決しようとする課題】
【０００４】
特許文献１に記載される発明では、各放送局から放送された全ての映像情報をサーバのファイル装置に録画しておき、移動機でＴＶ放送の電波が途切れるなどの障害が起きると、移動機から障害発生時刻と視聴していたＴＶ放送の放送局情報をサーバに送信する。それを受信したサーバは、ファイル装置に録画した映像情報から該当する放送局の障害発生時に放送されていた録画データを抽出し、その抽出した録画データを移動機側に送信するものである。しかしながら、この方法では、サーバは全放送地域の全放送局から放送される番組を録画する必要がある。このため、非常に大容量なファイル装置を用意しなければならず、また、多くのＴＶ放送受信機などの設備が必要になるという問題点がある。
【０００５】
そこで本発明は、上記問題点を解決するためになされたもので、移動機と録画機の地域設定情報が違ったとしても、録画機は移動機で視聴している番組と類似番組を検索し、自動的に録画することができる放送番組記憶システムを提供することを目的とする。
【課題を解決するための手段】
【０００６】
上記目的を達成するために、本発明による放送番組記憶システムは、
放送番組を受信して出力する移動機と、放送番組を受信して記憶する記憶装置とがデータ通信ネットワークによって接続された放送番組記憶システムであって、前記移動機は、前記放送番組を受信する機能が起動されたとき、又は受信チャネルの設定が変更されたときに、前記移動機の地域設定情報と前記放送番組の少なくとも番組タイトル、番組放送局、放送開始時刻の情報を含む番組情報とを前記データ通信ネットワークを介して前記記憶装置に送信する手段を有し、前記記憶装置は、前記移動機から受信した前記地域設定情報と前記記憶装置自身が記憶する地域設定情報とが同じ地域を示すことを検出した場合は、前記移動機の前記受信チャネルと同じチャネルから放送番組を受信して記録する手段を有することを特徴としている。
【０００７】
また、本発明の記憶装置は、放送番組を受信する放送受信手段と、前記放送受信手段によって受信した放送番組を記憶する記憶手段と、放送番組を受信して出力可能な移動機とデータ通信ネットワークによって通信を行う通信手段と、前記通信手段によって前記移動機の地域設定情報および前記移動機で受信中の放送番組の少なくとも番組タイトルと番組放送局情報とを含む番組情報を取得し、自機の地域設定情報と前記移動機の地域設定情報が同じであることを検出した場合は、前記移動機から取得した前記番組放送局の放送番組の記録を開始し、前記移動機から取得した地域設定情報が自機の地域設定情報と異なることを検出した場合は、自機で記憶可能な放送番組の番組タイトルと一致する番組タイトルを持つ番組を検出し、前記番組タイトルが一致する番組の前記記憶手段への記録を開始させる制御手段とを有することを特徴としている。
【発明の効果】
【０００８】
本発明によれば、移動機と録画機の地域設定情報が違ったとしても、録画機は移動機で視聴している番組と類似番組を検索し、自動的に録画することができる。
【発明を実施するための最良の形態】
【０００９】
以下、本発明の実施形態について図面を参照して説明する。
【００１０】
図１は、本発明の実施形態の一例である、移動機と録画機の接続を表す概略図である。
【００１１】
移動機１と録画機２は、赤外線通信やＢｌｕｅｔｏｏｔｈ（登録商標）、ＷＬＡＮのような無線通信によって通信を行うことができる。移動機１には、録画機２を無線通信によって操作するためのアプリケーションソフトウェアがインストールされており、移動機１は例えば、録画機２に録画したＴＶ放送の中から所望する録画画像を再生させるなどの指示を出すことができる。以降、移動機１と録画機２は赤外線通信によって通信を行う場合を例に挙げて説明する。
【００１２】
また、移動機１と録画機２は、基地局３を介してデータ通信ネットワークに接続されている。そして、移動機１と録画機２は、データ通信ネットワークを通じて、必要な情報を送受信することができる。例えば移動機１は、録画機２に対して、データ通信ネットワークを通じて録画命令などの命令を送信し、録画の開始や録画の停止などの指示を出すことができる。これに対し、録画機２は、移動機１からの命令を受けて録画動作を実行すると共に、自装置の動作状態を示すステータス情報を返信することができる。
【００１３】
さらに、移動機１と録画機２は、それぞれＴＶ放送受信用のアンテナをもち、ＴＶ局のＴＶ放送送信アンテナ４から発信されたＴＶ放送の電波を受信することができるように構成されている。
【００１４】
これらの構成によって、移動機１と録画機２は、ＴＶ放送送信アンテナ４から発信されたＴＶ放送の電波、もしくは基地局３を介したデータ通信ネットワークによって電子番組表（ＥＰＧ）の情報を得ることができる。受信したＥＰＧの情報から移動機１は、現在放送中もしくは近々放送される番組の番組情報を取得することができる。本実施例の移動機１と録画機２が取得する番組情報は、少なくとも番組の放送局、放送時間、および番組タイトルの情報を含む。さらに、番組にサブタイトルがついている場合には、番組のサブタイトル情報も取得しても良い。なお、以降の動作例では、移動機１と録画機２は、ＴＶ放送の電波からＥＰＧ情報を取得するとして説明する。
【００１５】
図２は、本実施例に係る移動機１を携帯電話機に適用した外観図である。  
移動機１は、操作キー２１、表示画面２２、および赤外線通信ポート２３を含む。操作キー２１は、ＴＶ番組選局の番号入力などに用いられるテンキー２１ａと、アプリケーションソフトウェアの起動や終了、音量などの設定調整などに用いられるファンクションキー２１ｂで構成される。表示画面２２は、受信したＴＶ放送の映像情報や移動機１の動作状態などを表示する。赤外線通信ポート２３は、赤外線による情報の送受信に用いる。
【００１６】
図３は、本実施例に係る移動機１のブロック図である。  
移動機１は、全体の制御を行う制御部５１を含む。制御部５１には、送受信部５２、ＴＶ受信部５３、音声信号処理部５４、音声出力部５５、画像信号処理部５６、表示部５７、記憶部５８、操作部５９、赤外線通信部６０、計時部６１が接続されている。
【００１７】
送受信部５２は、基地局３との間で情報の送受信を行う。  
ＴＶ受信部５３は、ＴＶ放送受信用のアンテナおよびチューナを含み、ＴＶ放送受信用アンテナによって受信したＴＶ放送信号から、特定チャネルの信号を選局する。ＴＶ受信部５３によって受信するＴＶ放送信号の周波数は、地域によって異なるため、移動機１が存在している地域を設定する必要がある。地域設定情報は予め記憶部５８に記憶され、操作部５９による設定変更操作によって所望の地域に設定される。もしくは、移動機１にさらに衛星測位システムによる測位機能を設け、衛星測位システムによって位置情報を取得して、自動的に地域を設定するように構成しても良い。
【００１８】
音声信号処理部５４は、ＴＶ受信部５３で選局された特定チャネルのＴＶ放送信号に対して、音声を再生させるための信号処理を施し、音声出力部５５から音声を出力する。音声出力部５５は、スピーカなどで構成され、ＴＶ放送の音声や移動機１に保存された音声ファイルからの音声を出力する。
【００１９】
画像信号処理部５６は、ＴＶ受信部５３で選局された特定チャネルのＴＶ放送信号に対して信号処理を施し、表示部５７に画像を表示する。表示部５７は、液晶ディスプレイや有機ＥＬディスプレイなどで構成された表示画面２２を含み、ＴＶ放送の映像のほかに、ＴＶ放送の番組情報、移動機１の動作状態などを表示する。
【００２０】
記憶部５８は、移動機１の設定情報やアプリケーションソフトウェアなどが記憶される。操作部５９は、ユーザから移動機１への操作入力に用いられる。操作部５９によってＴＶ放送の選局操作や、音声出力部５５からの出力音量の調整などの設定操作が行われる。
【００２１】
赤外線通信部６０は、近距離で情報の送受信を行う。移動機１は、赤外線通信部６０を介して録画機２に制御信号を送信し、録画機２に対し録画番組の再生や停止などの指示ができる。計時部６１は、現在の時刻を計時する。
【００２２】
図４は、本実施例に係る録画機２のブロック図である。  
録画機２は、送受信部１０２、ＴＶ受信部１０３、外部インタフェース（ＩＦ）部１０４、記憶部１０５、操作部１０６、赤外線通信部１０７、計時部１０８から構成される。
【００２３】
送受信部１０２は、基地局３との間で情報の送受信を行う。ＴＶ受信部１０３は、ＴＶ放送受信用のアンテナおよびチューナを含み、ＴＶ放送受信用アンテナによって受信したＴＶ放送信号から、チューナによって特定チャネルの信号を選局する。また、ＴＶ放送信号に含まれるＥＰＧ情報などのデータは分離し、記憶部１０５に記憶する。
【００２４】
外部ＩＦ部１０４は、ディスプレイやスピーカなどの外部機器と接続するために用いる。接続されたディスプレイおよびスピーカに受信した映像信号や音声信号を出力して、映像音声を再生する。
【００２５】
記憶部１０５は、制御部１０１の制御によってＴＶ受信部１０３によって受信して、選局された特定チャネルのＴＶ放送の映像音声情報を記憶する。このとき、映像音声情報と共に、その番組の放送開始時刻と、録画開始時刻も記憶する。また、記憶部１０５には、録画機２が受信しているＴＶ放送信号の地域設定情報が記憶されている。地域設定情報は、録画機２の使用開始前にあらかじめ設定されている。操作部１０６は、ユーザから録画の指示や録画タイマー設定などの入力操作が行われる。赤外線通信部１０７は、赤外線通信可能な移動機１との間で情報の送受信を行う。計時部１０８は、現在時刻を計時する。
【００２６】
本実施例に係る録画機２での録画方法には、次のような方法がある。  
ユーザ自身が操作部１０６によって録画する番組を指定して録画を開始する録画方法と、予め記憶部１０５にユーザの嗜好情報を設定記憶しておき、ＥＰＧ情報によって取得した番組情報から、設定したユーザの嗜好情報に合ったＴＶ放送があるならば録画する方法と、データ通信ネットワークを介して移動機１で選局されているＴＶ放送の番組情報を受信し、同じ番組を自動的に録画する方法である。このうち、ユーザが録画する番組を指定して録画する方法と、ユーザの嗜好情報を用いてユーザの好みに合った番組を自動録画する方法は、従来技術と同様であるので詳細な説明は省略する。
【００２７】
このように複数の録画方法があるため、それぞれの録画方法によって、同時間帯に異なる番組を録画すべきと判断されることがある。そこで、どの録画方法による録画を優先させるのかを予め定めておくことができる。例えば、移動機１でＴＶを視聴していても、録画機２でその時間に別の番組のＴＶ録画予約があれば、ＴＶ録画予約されている番組を優先して録画することができる。
【００２８】
次に、移動機１からの指令で指定されたＴＶ放送番組の映像音声情報を録画機２が録画するときのフローチャートを図５に示す。図５は、移動機１のＴＶ機能を起動してからＴＶ機能を終了するまでの、移動機１と録画機２の動作を示したフローチャートである。ただし、移動機１に対する、ＴＶ放送の受信感度低下などによるＴＶ放送の受信を妨げる割り込みは考慮せずに説明する。ＴＶ放送の受信を妨げる割り込みについては、後述する。
【００２９】
まず、移動機１のＴＶ機能が起動すると（Ｓ１５１）、移動機１の制御部５１は、ＴＶ機能の起動時刻を計時部６１から取得する。また、選局されたチャネルのＴＶ放送信号をＴＶ受信部５３から受信する。ＴＶ放送信号にはＥＰＧ情報が含まれており、ＥＰＧ情報の中から番組情報を取得することができる。そこで、制御部５１は、ＥＰＧ情報から移動機１で現在視聴中の番組情報を取得し、視聴中の番組情報と視聴開始時刻を記憶部５８に記憶する（Ｓ１５２）。また、制御部５１は、視聴中の番組情報と記憶部５８に記憶されている地域設定情報を送受信部５２、基地局３を介したデータ通信ネットワークによって録画機２に送信して、移動機１で視聴中の番組の録画を要求する（Ｓ１５３）。なお、図５では、移動機１のＴＶ機能が起動されることなどをきっかけに、自動的に録画機２へ録画要求が送信されるフローチャートを示しているが、場合によっては録画要求を送信せず、録画機２では録画しないという処理も考えられる。録画要求の送信可否判断は、番組ユーザが操作部５９を用いて選択できるようにしても良い。または、ユーザの好みの番組ジャンルや番組タイトルなどを記憶部５８に記憶しておき、移動機１で視聴している番組ジャンルや番組タイトルが、ユーザの好みの番組ジャンルや番組タイトルと一致するときには録画要求を録画機２へ送信し、録画機２で録画させても良い。
【００３０】
録画機２は、移動機１から送信された番組情報と地域設定情報を送受信部１０２から受信する（Ｓ２０１）。録画機２の制御部１０１は、受信した移動機１からの地域設定情報と、録画機２の記憶部１０５に記憶されている地域設定情報とが一致するか否かを判定する（Ｓ２０２）。移動機１からの地域設定情報と録画機２の地域設定情報が一致する場合（Ｓ２０２のＹｅｓ）には、移動機１で受信しているＴＶ番組と同じ番組を、録画機２でも受信可能である。そこで、地域設定情報が一致した場合には、録画機２の制御部１０１は、受信した移動機１からの番組情報を参照し、同じ番組の映像音声情報を記憶部１０５に記憶させる（Ｓ２０４）。
【００３１】
それに対して、移動機１からの地域設定情報と録画機２の地域設定情報が一致しない場合（Ｓ２０２のＮｏ）、同じ放送局のＴＶ放送信号を受信することができない。ただし、系列局で同じ番組を放送している可能性がある。そこで、移動機１からの地域設定情報と録画機２の地域設定情報が一致しない場合には、ＥＰＧ情報を取得し、制御部１０１は移動機１から受信した番組情報に含まれている番組タイトルと、録画機２が取得したＥＰＧ情報に含まれる、番組タイトルとを比較する（Ｓ２０３）。
【００３２】
例えば、移動機１から受信した番組情報に含まれている番組タイトル（即ち、移動機１で視聴している番組の番組タイトル）と、録画機２の記憶部１０５に記憶されている番組タイトル（即ち、録画機２が設置されている地域で放送中の番組の番組タイトル）とが一致している場合（Ｓ２０３のＹｅｓ）、これらの放送は同じ番組である可能性が高い。そこで、録画機２の制御部１０１は、移動機１で視聴中の番組と同じ番組タイトルを持つ番組の映像音声情報を録画する（Ｓ２０４）。
【００３３】
また、移動機１から受信した番組情報に含まれている番組タイトルが、録画機２が取得したＥＰＧ情報に含まれる番組タイトルのいずれにも合致しない場合（Ｓ２０３のＮｏ）、録画機２の制御部１０１は、録画すべき番組を見つけることができない。
【００３４】
録画機２の制御部１０１は、このように移動機１と録画機２の地域設定情報と番組情報のマッチング結果に応じて、録画する番組を決定する（もしくは、番組を録画しないことを決定する）とともに、送受信部１０２を介して移動機１に対して応答メッセージを送信する（Ｓ２０５）。応答メッセージは、移動機１で視聴中の番組の映像音声情報を録画機２で録画可能であるか否かを表すステータスである。
【００３５】
ステップＳ２０２で移動機１と録画機２の地域設定情報が一致する場合、応答メッセージは、移動機１で視聴中の番組と同じ番組を録画するというステータス情報を表す。一方、ステップＳ２０２で移動機１と録画機２の地域設定情報が一致せず、ステップＳ２０３で番組タイトルが一致する場合には、同じ番組である可能性が高い。しかし例えば、番組タイトルが「ニュース」や「天気予報」のように広く一般的に用いられる番組タイトルの場合、移動機１で視聴している番組とは異なる番組内容でも番組タイトルは一致する。そこで、このような場合には、応答メッセージは、移動機１で視聴中の番組タイトルに類似する番組を録画するというステータス情報を表す。ステップＳ２０２で移動機１と録画機２の地域設定情報が一致せず、ステップＳ２０３で番組タイトルも一致しない場合には、応答メッセージは、同じ番組を録画することができないステータス情報を表す。
【００３６】
なお、移動機１と録画機２がＥＰＧ情報から番組情報を取得するときに番組サブタイトルも取得するならば、ステップＳ２０３では、番組タイトルを比較するだけでなく、番組サブタイトルも比較しても良い。そして、番組タイトルが一致するものであっても、番組サブタイトルが一致するか一致しないかによって、応答メッセージを変えても良い。例えば、番組タイトルが一致し番組サブタイトルが一致する場合は、類似度の高い番組を録画するというステータス情報を表す応答メッセージを送信し、番組タイトルが一致するが番組サブタイトルが一致する場合は、類似度の低い番組を録画するというステータス情報を表す応答メッセージを送信することが考えられる。
【００３７】
ステップＳ２０３で番組タイトルが同じ番組が見つかったとしても、放送開始時刻が異なる場合がある。このとき、移動機１側での視聴開始時刻に録画機２側で類似する番組が放送されているか否かと、放送されていない場合には移動機１側での放送開始時刻と録画機２側での放送開始時刻のどちらが早いかによって録画機２での処理が異なる。
【００３８】
例えば、移動機１側での視聴開始時刻に、録画機２側では類似する番組の放送が既に終了している場合、ユーザによる録画予約などの他の録画手段を用いていなければ、録画機２側ではその番組を録画することができない。そこで、録画機２の制御部１０１は、移動機１に対して、録画できないステータス情報を表す応答メッセージを送信する。
【００３９】
また、移動機１側での視聴開始時刻に、録画機２側ではまだ類似する番組の放送が開始されていない場合、録画機２は、移動機１で視聴中の番組と同じかもしくは類似する番組の番組情報を記憶部１０５に記憶する。このとき、録画機２の制御部１０１は、移動機１に対して類似番組を録画する時刻を示す応答メッセージを送信する。そして、録画機２での放送開始時刻になれば、番組終了まで録画する。
【００４０】
また、移動機１側での視聴開始時刻に、録画機２側でも類似する番組が放送されている場合、録画機２の制御部１０１は、類似する番組を録画するという応答メッセージを送信し、直ちにその番組の映像音声情報の録画を開始する。
【００４１】
移動機１は、送受信部５２によって録画機２からの応答メッセージを受信する（Ｓ１５４）。制御部５１は、受信された応答メッセージを、表示部５７の表示画面２２に表示させる（Ｓ１５５）。この応答メッセージによってユーザは、録画機２がどのような番組を録画するのか確認することができる。したがって、録画機２における番組の録画が不要であれば、録画機２に対して録画停止の制御信号を送信することによって、録画を停止させることも可能である。
【００４２】
また、移動機１でＴＶ放送信号の受信中に、操作部５９によってチャネル変更の操作を受けたときや（Ｓ１５６のＹｅｓ）、地域を移動して地域設定情報が変更されたとき（Ｓ１５７のＹｅｓ）、変更後に受信している番組について、上述したステップＳ１５２〜Ｓ１５５およびＳ２０１〜Ｓ２０５を行う。
【００４３】
さらに、録画機２の制御部１０１は、録画している番組が終了すれば録画を停止する（Ｓ２０６）。すなわち、移動機１でＴＶ機能が終了されても（Ｓ１５８）、録画機２で録画している番組が終了していなければ、録画を停止しない。これによって、例えば移動機１で電池電圧が低下し、ＴＶ機能を終了せざるを得なくなっても、移動機１からの指令によって視聴していた番組の映像音声情報を録画機２で録画しておくことができる。
【００４４】
次に、図６の遷移図は、移動機１に対して、選局操作や視聴を妨げる割り込みなどのイベントなどがあったときに、移動機１で視聴される番組と、録画機２で録画される番組の対応の例を示した図である。図６のＥ２５１〜Ｅ２５８は、移動機１に対する選局操作や割り込みなどのイベントを示す。移動機１の制御部５１は、Ｅ２５１〜Ｅ２５８のようなイベントがあるたびに、記憶部５８に番組情報とイベント情報を記憶する。イベント発生時に記憶部５８に記憶される番組情報は少なくとも、放送日時、放送チャネル、番組タイトルである。更に番組サブタイトルなどを記憶しても良い。また、イベント情報として、イベント発生時刻と、イベント内容が記憶される。
【００４５】
記憶部５８にイベント発生時の情報格納タイミングとしては、移動機１への選局操作や割り込みなどのほかに、ユーザが所定の操作を行ったときも含む。これは、イベント発生時点を、録画機２で録画した番組を再生する起点として用いるためである。ユーザが所定の操作を行ったときにも情報格納を行うため、ユーザは後ほど録画機２によって再生するときに起点となる時点を指定しておくことが可能である。イベント発生時点を起点として使用する録画機２での再生方法については、後述する。
【００４６】
まず、移動機１でＴＶ機能を起動させたとき（Ｅ２５１）、移動機１は、例えば番組ＡのＴＶ放送信号を受信しているとする。ＴＶ機能の起動時には、前述のように、録画機２に対して番組情報と地域設定情報が送信される。録画機２が移動機１から受信した地域設定情報と同じ地域設定情報に設定されていると、録画機２では、移動機１と同じ番組である番組Ａの映像音声情報の録画を開始する。また、録画機２は、移動機１に対して、同じ番組Ａを録画しているというステータス情報を応答メッセージとして送信する。その後、移動機１でＴＶ受信感度が低下して、番組Ａの視聴が途切れることが発生したとしても（Ｅ２５２）、録画機２では番組Ａの映像音声情報の録画を継続する。
【００４７】
次に、移動機１の所持者が放送地域を移動し、移動機１に記憶された地域設定情報が変更され（Ｅ２５３）、番組Ａと同じ番組タイトルの番組Ａ’の視聴を開始したとする。このとき、移動機１から録画機２に対して番組情報と地域設定情報を送信する。録画機２の制御部１０１が、移動機１から受信した地域設定情報と記憶部１０５に設定される地域設定情報は異なるが、移動機１で視聴中の番組Ａ’の番組タイトルと類似する番組タイトルを持つ番組Ａを録画中であることを判断した場合は、現在録画中の番組Ａの映像音声情報の録画を継続させる。また、録画機２は、移動機１に対して移動機１で視聴中の番組と類似する番組を録画しているというステータス情報を送信する。
【００４８】
次に、移動機１で番組Ａ’を視聴中に、操作部５９によって選局操作が入力され、受信するＴＶ放送信号が番組Ａ’から番組Ｂ’に変更されたとき（Ｅ２５４）、移動機１から録画機２に対して番組情報と地域設定情報を送信する。録画機２の制御部１０１が、移動機１からの地域設定情報と記憶部１０５に設定される地域設定情報は一致しないが、移動機１で視聴中の番組Ｂ’の番組タイトルに類似する番組Ｂが放送中であると判断したとすると、番組Ａの映像音声情報の録画を終了し、番組Ｂの映像音声情報の録画を開始する。
【００４９】
さらに、移動機１で番組Ｂ’を視聴中に、移動機１で動作するＴＶ機能以外のアプリケーションソフトウェアが起動された場合（Ｅ２５５〜Ｅ２５６の間）、起動されたアプリケーションソフトウェアによっては、移動機１で番組Ｂ’を視聴できない場合もあるが、録画機２では番組Ｂの映像音声情報の録画を継続する。
【００５０】
さらにまた、移動機１で番組Ｂ’を視聴中に、操作部５９によって選局操作が入力され、受信するＴＶ放送信号が番組Ｂ’から番組Ｃ’に変更されたとき（Ｅ２５７）、移動機１から録画機２に対して番組情報と地域設定情報を送信する。録画機２の制御部１０１は、移動機１から受信した地域設定情報と録画機２の記憶部１０５に設定される地域設定情報が一致しないことを判定し、移動機１で視聴中の番組Ｃ’と番組タイトルが一致する番組を記憶部１０５に記憶されたＥＰＧ情報から検索する。検索の結果、番組Ｃ’と番組タイトルが一致する番組が見つからない場合は番組Ｂの映像音声情報の録画を継続する。
【００５１】
その後、移動機１が番組Ｃ’の視聴中に、ＴＶ機能を終了させたとしても（Ｅ２５８）、録画機２では番組Ｂの映像音声情報の録画を継続する。このときには、録画機２では、番組Ｂの放送が終了したときに、録画を終了する。
【００５２】
以上のような方法で、録画機２の記憶部１０５に蓄積した番組の録画情報は、移動機１に対するイベント発生時を起点として再生させることができる。その再生操作の一例を、図７，図８を用いて説明する。
【００５３】
移動機１の操作キー２１によって特定の操作がなされると、表示画面２２に図７のＰ３０１が表示される。Ｐ３０１では、移動機１で視聴した番組を一覧で表示する。Ｐ３０１では、方向キー２１ｄによってカーソルを移動させることができる。再生させる番組にカーソルを合わせた状態で決定キー２１ｃの押下を受けると、表示画面２２の表示はＰ３０２のような画面表示に変わる。Ｐ３０２では、Ｐ３０１で選択した番組の視聴中に発生したイベントを表示する。イベントは、発生時刻順にソートされており、カーソルを移動させて選択することができる。
【００５４】
なお、図７のＰ３０１の表示は、図８のＰ３５１のように録画機２で番組が録画できたかどうかを示す項目を付加しても良い。録画機２から送信された応答メッセージの情報を移動機１で保存しておき、例えば、Ｐ３５１では、移動機１で視聴した番組と同じ番組を録画機２で録画できるという応答メッセージだったならば「◎」、類似番組を録画できるという応答メッセージだったならば「○」、録画することができないという応答メッセージだったならば「×」と表示している。
【００５５】
Ｐ３０２の画面が表示されている状態で、移動機１の方向キー２１ｄでカーソルを移動させ、イベントの１つにカーソルを合わせた状態で決定キー２１ｃの押下を受けると、移動機１の赤外線通信部６０と録画機２の赤外線通信部１０７によって短距離通信を行う。
【００５６】
このとき移動機１から送信される情報は、移動機１で選択された番組の番組情報と割り込み発生時刻である。
【００５７】
移動機１からの番組情報と割り込み発生時刻とを受信した録画機２は、番組タイトルによって、録画した番組を検索する。ここで、検索対象となるのは、移動機１で視聴したものを自動録画した番組だけでなく、録画予約によって録画した番組や、ユーザの好みの番組を自動録画した番組も含む。移動機１から要求した番組と録画機２で録画した番組の、番組タイトルが一致し、放送開始時刻も一致した場合には、移動機１から送信した割り込み発生時刻（もしくはその３０秒前など）を起点として記憶された録画データを再生する。
【００５８】
もし、番組タイトルが一致しても、放送開始時刻が一致しない場合には、録画機２は、移動機１で記憶された放送開始時刻と録画機２で記憶された放送開始時刻の差分を計算し、移動機１での割り込み時刻に対してその差分を調整した時刻（もしくはその３０秒前など）を起点として記憶された録画データを再生する。
【００５９】
このような実施形態の構成をとることで、データ通信ネットワークを介して録画機に送信する移動機および、移動機で視聴した番組情報を受信し、移動機で視聴中の番組と同じ番組もしくは類似する番組を自動的に録画する録画機を提供することができる。
【００６０】
なお、上記実施形態に限定されることはなく、本発明の要旨を逸脱しない範囲において、適宜変更しても良い。
【図面の簡単な説明】
【００６１】
【図１】本発明の実施形態に係る移動機と録画機のネットワーク構成図。
【図２】本発明の実施形態に係る移動機の外観図。
【図３】本発明の実施形態に係る移動機のブロック図。
【図４】本発明の実施形態に係る録画機のブロック図。
【図５】本発明の実施形態に係る移動機のＴＶ機能起動や選局によって録画機が録画を開始するフローチャート。
【図６】本発明の実施形態に係る移動機でイベントが起こったときの、移動機で視聴される番組と録画機で録画する番組の遷移を示した図。
【図７】本発明の実施形態に係る移動機でＴＶ機能起動中のイベントを一覧表示するときの画面遷移の例。
【図８】本発明の実施形態に係る移動機でＴＶ機能起動中のイベントを一覧表示するときの画面の例。
【符号の説明】
【００６２】
１  移動機、２  録画機、３  基地局、４  ＴＶ放送送信アンテナ、２１  操作キー、２１ａ  テンキー、２１ｂ  ファンクションキー、２２  表示画面、２３  赤外線通信ポート、５１  制御部、５２  送受信部、５３  ＴＶ受信部、５４  音声信号処理部、５５  音声出力部、５６  画像信号処理部、５７  表示部、５８  記憶部、５９  操作部、６０  赤外線通信部、６１  計時部、１０１  制御部、１０２  送受信部、１０３  ＴＶ受信部、１０４  外部インタフェース部、１０５  記憶部、１０６  操作部、１０７  赤外線通信部、１０８  計時部
【図１】
2008288725.tif 000003
【図２】
2008288725.tif 000004
【図３】
2008288725.tif 000005
【図４】
2008288725.tif 000006
【図５】
2008288725.tif 000007
【図６】
2008288725.tif 000008
【図７】
2008288725.tif 000009
【図８】
2008288725.tif 000010